(57)【特許請求の範囲】
【請求項１】
複数のアンテナを有する無線通信基地局装置が、送信ダイバーシチを行う場合に、自セル固有のベーシックミッドアンブルコードを単位シフト量ずつ巡回シフトさせて作成される複数のミッドアンブルコードのうち、シフト量０の第１ミッドアンブルコードと、送信ダイバーシチを行うことを示す特定シフト量の第２ミッドアンブルコードと、を前記複数のアンテナから並列送信するＣＤＭＡ無線通信システム、において使用されるミッドアンブルコード判定方法であって、
受信信号と、前記第１ミッドアンブルコードとの相関値と、
受信信号と、前記第２ミッドアンブルコードとの相関値と、の比に基づいて、
前記第２ミッドアンブルコードが受信信号に含まれているか否かを判定する、
ことを特徴とするミッドアンブルコード判定方法。
【請求項２】
複数のアンテナを有する無線通信基地局装置が、送信ダイバーシチを行う場合に、自セル固有のベーシックミッドアンブルコードを単位シフト量ずつ巡回シフトさせて作成される複数のミッドアンブルコードのうち、シフト量０の第１ミッドアンブルコードと、送信ダイバーシチを行うことを示す特定シフト量の第２ミッドアンブルコードと、を前記複数のアンテナから並列送信するＣＤＭＡ無線通信システム、において使用されるミッドアンブルコード判定方法であって、
受信信号と、前記第２ミッドアンブルコードとの相関値と、
受信信号と、前記自セル固有のベーシックミッドアンブルコードと同一のベーシックミッドアンブルコードグループに属する他のベーシックミッドアンブルコードを前記特定シフト量と同じ量だけシフトして作成されるミッドアンブルコードとの相関値と、の比に基づいて、
前記第２ミッドアンブルコードが受信信号に含まれているか否かを判定する、
ことを特徴とするミッドアンブルコード判定方法。
【請求項３】
複数のアンテナを有する無線通信基地局装置が、送信ダイバーシチを行う場合に、自セル固有のベーシックミッドアンブルコードを単位シフト量ずつ巡回シフトさせて作成される複数のミッドアンブルコードのうち、シフト量０の第１ミッドアンブルコードと、送信ダイバーシチを行うことを示す特定シフト量の第２ミッドアンブルコードと、を前記複数のアンテナから並列送信するＣＤＭＡ無線通信システム、において使用されるミッドアンブルコード判定方法であって、
受信信号と、前記第２ミッドアンブルコードとの相関値と、
受信信号と、前記自セル固有のベーシックミッドアンブルコードと同一のベーシックミッドアンブルコードグループに属する他のベーシックミッドアンブルコードから作成されるシフト量０のミッドアンブルコードとの相関値と、の比に基づいて、
前記第２ミッドアンブルコードが受信信号に含まれているか否かを判定する、
ことを特徴とするミッドアンブルコード判定方法。
【請求項４】
複数のアンテナを有する無線通信基地局装置が、送信ダイバーシチを行う場合に、自セル固有のベーシックミッドアンブルコードを単位シフト量ずつ巡回シフトさせて作成される複数のミッドアンブルコードのうち、シフト量０の第１ミッドアンブルコードと、送信ダイバーシチを行うことを示す特定シフト量の第２ミッドアンブルコードと、を前記複数のアンテナから並列送信するＣＤＭＡ無線通信システム、において前記無線通信基地局装置と通信する無線通信端末装置であって、
受信信号と、前記第１ミッドアンブルコードとの第１相関値を求める第１相関手段と、
受信信号と、前記第２ミッドアンブルコードとの第２相関値を求める第２相関手段と、
前記第１相関値と前記第２相関値との比と、しきい値と、を比較する比較手段と、
前記比較手段での比較結果に基づいて、前記第２ミッドアンブルコードが受信信号に含まれているか否かを判定することによって、前記無線通信基地局装置が送信ダイバーシチを行うか否かを判定する判定手段と、
を具備することを特徴とする無線通信端末装置。
【請求項５】
前記比較手段は、
前記第２ミッドアンブルコードが前記無線通信基地局装置から送信されない場合の、前記第１相関値と前記第２相関値との比と、
前記第２ミッドアンブルコードが前記無線通信基地局装置から送信される場合の、前記第１相関値と前記第２相関値との比と、の中間値を、
前記しきい値とする、
ことを特徴とする請求項４記載の無線通信端末装置。
【請求項６】
複数のアンテナを有する無線通信基地局装置が、送信ダイバーシチを行う場合に、自セル固有のベーシックミッドアンブルコードを単位シフト量ずつ巡回シフトさせて作成される複数のミッドアンブルコードのうち、シフト量０の第１ミッドアンブルコードと、送信ダイバーシチを行うことを示す特定シフト量の第２ミッドアンブルコードと、を前記複数のアンテナから並列送信するＣＤＭＡ無線通信システム、において前記無線通信基地局装置と通信する無線通信端末装置であって、
受信信号と、前記第２ミッドアンブルコードとの第２相関値を求める第２相関手段と、
受信信号と、前記自セル固有のベーシックミッドアンブルコードと同一のベーシックミッドアンブルコードグループに属する他のベーシックミッドアンブルコードを前記特定シフト量と同じ量だけシフトして作成されるミッドアンブルコードとの第３相関値を求める第３相関手段と、
前記第２相関値と前記第３相関値との比と、しきい値と、を比較する比較手段と、
前記比較手段での比較結果に基づいて、前記第２ミッドアンブルコードが受信信号に含まれているか否かを判定することによって、前記無線通信基地局装置が送信ダイバーシチを行うか否かを判定する判定手段と、
を具備することを特徴とする無線通信端末装置。
【請求項７】
前記第３相関手段は、
受信信号と、前記自セル固有のベーシックミッドアンブルコードと同一のベーシックミッドアンブルコードグループに属する他の複数のベーシックミッドアンブルコードの各々を前記特定シフト量と同じ量だけシフトして作成される複数のミッドアンブルコードの各々との複数の前記第３相関値を求め、
前記比較手段は、
前記第２相関値と複数の前記第３相関値の平均値との比と、前記しきい値と、を比較する、
ことを特徴とする請求項６記載の無線通信端末装置。
【請求項８】
前記比較手段は、
前記第２ミッドアンブルコードが前記無線通信基地局装置から送信されない場合の、前記第２相関値と前記第３相関値との比と、
前記第２ミッドアンブルコードが前記無線通信基地局装置から送信される場合の、前記第２相関値と前記第３相関値との比と、の中間値を、
前記しきい値とする、
ことを特徴とする請求項６記載の無線通信端末装置。
【請求項９】
複数のアンテナを有する無線通信基地局装置が、送信ダイバーシチを行う場合に、自セル固有のベーシックミッドアンブルコードを単位シフト量ずつ巡回シフトさせて作成される複数のミッドアンブルコードのうち、シフト量０の第１ミッドアンブルコードと、送信ダイバーシチを行うことを示す特定シフト量の第２ミッドアンブルコードと、を前記複数のアンテナから並列送信するＣＤＭＡ無線通信システム、において前記無線通信基地局装置と通信する無線通信端末装置であって、
受信信号と、前記第２ミッドアンブルコードとの第２相関値を求める第２相関手段と、
受信信号と、前記自セル固有のベーシックミッドアンブルコードと同一のベーシックミッドアンブルコードグループに属する他のベーシックミッドアンブルコードから作成されるシフト量０のミッドアンブルコードとの第４相関値を求める第４相関手段と、
前記第２相関値と前記第４相関値との比と、しきい値と、を比較する比較手段と、
前記比較手段での比較結果に基づいて、前記第２ミッドアンブルコードが受信信号に含まれているか否かを判定することによって、前記無線通信基地局装置が送信ダイバーシチを行うか否かを判定する判定手段と、
を具備することを特徴とする無線通信端末装置。
【請求項１０】
前記第４相関手段は、
受信信号と、前記自セル固有のベーシックミッドアンブルコードと同一のベーシックミッドアンブルコードグループに属する他の複数のベーシックミッドアンブルコードの各々から作成されるシフト量０の複数のミッドアンブルコードの各々との複数の前記第４相関値を求め、
前記比較手段は、
前記第２相関値と複数の前記第４相関値の平均値との比と、前記しきい値と、を比較する、
ことを特徴とする請求項９記載の無線通信端末装置。
【請求項１１】
前記比較手段は、
前記第２ミッドアンブルコードが前記無線通信基地局装置から送信されない場合の、前記第２相関値と前記第４相関値との比と、
前記第２ミッドアンブルコードが前記無線通信基地局装置から送信される場合の、前記第２相関値と前記第４相関値との比と、の中間値を、
前記しきい値とする、
ことを特徴とする請求項９記載の無線通信端末装置。
【発明の詳細な説明】
【０００１】
【発明の属する技術分野】
本発明は、ミッドアンブルコード判定方法および無線通信端末装置に関する。
【０００２】
【従来の技術】
第３世代の移動体通信システムの１つとして、ＣＤＭＡ／ＴＤＤ方式が採用されることが決定している。図７は、ＣＤＭＡ／ＴＤＤ方式で使用される、フレーム構成およびスロット構成の一例を示す図である。この図７に示すように、１０ｍｓ（１２８００チップ）の各フレームはそれぞれ、５ｍｓ（６４００チップ）の２つのサブフレームから構成される。また、サブフレームは、８６４チップの７つのタイムスロット、タイムスロット＃０（ＴＳ＃０）〜タイムスロット＃６（ＴＳ＃６）から構成される。また、ＴＳ＃０とＴＳ＃１の間には、９６チップのＤｗＰＴＳ（Downlink Pilot Time Slot）、９６チップのＧＰ（Guard Period）、１６０チップの ＵｐＰＴＳ（Uplink Pilot Time Slot）が存在する。ＤｗＰＴＳは、ガードピリオドと初期同期に用いられる同期コードであるＳＹＮＣ−ＤＬとから構成される。ＴＳ＃０は、制御チャネル、具体的にはビーコンチャネルやＰ−ＣＣＰＣＨ（Primary Common Control Physical Channel）に使用され、必ず下り回線（無線通信基地局装置から無線通信端末装置へ向かう回線）で使用される。その他のＴＳ＃１〜ＴＳ＃６は、適宜上り回線（無線通信端末装置から無線通信基地局装置へ向かう回線）または下り回線で使用される。図７は、ＴＳ＃３とＴＳ＃４との間を、上り回線と下り回線とを切り替えるスイッチングポイントした例である。また、各タイムスロットは、図７に示すように、２つのデータ部分と、それらデータ部分の間にミッドアンブル部分（ＭＡ）と、終端にガードピリオド（ＧＰ）とから構成される。
【０００３】
次いで、タイムスロットのミッドアンブル部分（１４４チップ）に格納されるミッドアンブルコードの作成方法について説明する。図８は、ミッドアンブルコードの作成方法を説明するための図である。なお、ここでは、１２８チップのベーシックミッドアンブルコードから、８種類のミッドアンブルコードを作成する場合について説明する。シフト１〜シフト８の各ミッドアンブルコードはそれぞれ１４４チップであり、１２８チップからなる２つのベーシックミッドアンブルコードを組み合わせた２５６チップの範囲で単位シフト量Ｗ＝１６チップずつ巡回シフトさせて作成する。よって、シフト１のミッドアンブルコードｍ(1)はシフト量０のミッドアンブルコードとなり、シフト２のミッドアンブルコードｍ(2)はシフト量Ｗ（１６チップ）のミッドアンブルコードとなり、シフト３のミッドアンブルコードｍ(3)はシフト量２Ｗ（３２チップ）のミッドアンブルコードとなり、…、シフト８のミッドアンブルコードｍ(8)はシフト量７Ｗ（１１２チップ）のミッドアンブルコードとなる。
【０００４】
ベーシックミッドアンブルコードは１２８種類用意され、ｎ番目の種類（コードＩＤ＝ｎ）のベーシックミッドアンブルコードから作成されたミッドアンブルコードを、一般に、ｍ(n)と表す。よって、ｎ番目の種類（コードＩＤ＝ｎ）のベーシックミッドアンブルコードから作成されたシフトｍのミッドアンブルコードは、ｍ(m)(n)と表される。例えば、コードＩＤ＝３のベーシックミッドアンブルコードから作成されたシフト１のミッドアンブルコード（すなわち、シフト量０のミッドアンブルコード）はｍ(1)(3)と表され、コードＩＤ＝３のベーシックミッドアンブルコードから作成されたシフト２のミッドアンブルコード（すなわち、シフト量１６チップのミッドアンブルコード）はｍ(2)(3)と表される。
【０００５】
また、１２８種類のベーシックミッドアンブルコードのうちいずれか１つが１つのセルに対して固有に割り当てられる。例えば、コードＩＤ＝３のベーシックミッドアンブルコードがセル１に対して固有に割り当てられる。よって、セル１ではコードＩＤ＝３のベーシックミッドアンブルコードから上記のようにして作成されるシフト１〜シフト８のミッドアンブルコードを使用することができる。このうちシフト１のミッドアンブルコードｍ(1)(3)、すなわちシフト量０のミッドアンブルコードは、必ずＴＳ＃０のミッドアンブル部分に格納されて、無線通信基地局装置から無線通信端末装置に送信される。シフト量０のミッドアンブルコードｍ(1)がＴＳ＃０のミッドアンブル部分に格納されて送信されることは、すべての種類のベーシックミッドアンブルコードにおいて同様である。また、１２８種類のベーシックミッドアンブルコードは、４種類ずつ３２グループのベーシックミッドアンブルコードグループにグループ分けされている。そして、そのセルに割り当てられているベーシックミッドアンブルコードが属するベーシックミッドアンブルコードグループに対応するＳＹＮＣ−ＤＬがＤｗＰＴＳに含まれて、無線通信基地局装置からそのセル内に位置するすべての無線通信端末装置に対して送信される。よって、ＳＹＮＣ−ＤＬは３２種類存在する。
【０００６】
ここで、ＣＤＭＡ／ＴＤＤ方式では、２本のアンテナを有する無線通信基地局装置が送信ダイバーシチ（ＳＣＴＤ：Space Code Transmit Diversity）を行う場合と行わない場合とがある。無線通信基地局装置は、送信ダイバーシチを行う場合は、一方のアンテナからは、シフト１のミッドアンブルコードｍ(1)、すなわちシフト量０のミッドアンブルコードを、ＴＳ＃０のミッドアンブル部分に含めて送信し、他方のアンテナからは、シフト２のミッドアンブルコードｍ(2)、すなわちシフト量１６チップのミッドアンブルコードをＴＳ＃０のミッドアンブル部分に含めて送信する。つまり、送信ダイバーシチを行う場合は、シフト１のミッドアンブルコードｍ(1)とシフト２のミッドアンブルコードｍ(2)とを２本のアンテナから並列送信する。よって、無線通信端末装置は、ＴＳ＃０のミッドアンブル部分に、シフト２のミッドアンブルコードｍ(2)が含まれているか否かを判定することによって、通信相手の無線通信基地局装置が送信ダイバーシチを行うか否かを判定することができる。
【０００７】
以下、送信ダイバーシチが行われるか否かの判定を含む、ＣＤＭＡ／ＴＤＤ方式におけるセルサーチ方法を説明する。このセルサーチは、ステップ１〜４の４ステップの処理で構成され、送信ダイバーシチが行われるか否かの判定はステップ２で行われる。以下、無線通信端末装置で行われるステップ１〜４の処理を順に説明する。
【０００８】
＜ステップ１＞タイミング同期およびベーシックミッドアンブルコードグループの同定
（１）１サブフレームの受信信号に対して３２種類のＳＹＮＣ−ＤＬを用いて相関演算を行い、３２種類のＳＹＮＣ−ＤＬ毎に遅延プロファイルを作成する。
（２）（１）で作成した３２個の遅延プロファイルのうち相関電力値が最大となる遅延プロファイルに対応するＳＹＮＣ−ＤＬをそのセルで使用されているＳＹＮＣ−ＤＬと同定する。ＳＹＮＣ−ＤＬが同定されることにより、そのセルで使用されているベーシックミッドアンブルコードが属するベーシックミッドアンブルコードグループが同定される。すなわち、ベーシックミッドアンブルコードの候補が１２８種類から４種類に絞られる。また、遅延プロファイルのピーク位置からＤｗＰＴＳのタイミングを検出する。
【０００９】
＜ステップ２＞ベーシックミッドアンブルコードおよびスクランブリングコードの同定
（３）ＴＳ＃０にあるビーコンチャネル（またはＰ−ＣＣＰＣＨ）のミッドアンブル部分に対して、（２）で同定されたベーシックミッドアンブルコードグループに属する４種類のベーシックミッドアンブルコードを用いて相関演算を行い相関電力値を求める。
（４）（３）で求めた相関電力値のうち最大の相関電力値となるベーシックミッドアンブルコードを、自セルで使用されているベーシックミッドアンブルコードと同定する。すなわち、自セル固有のベーシックミッドアンブルコードが同定される。なお、本明細書において自セルとは、無線通信基地局装置にとっては自局がカバーするセル（無線通信エリア）のことであり、無線通信端末装置にとっては自装置が現在位置するセルのことである。一方、他セルとは、無線通信基地局装置にとっては他局がカバーするセル（無線通信エリア）のことであり、無線通信端末装置にとっては自装置が現在位置するセル以外のセルのことである。
（５）ベーシックミッドアンブルコードとデータを拡散しているスクランブリングコードとは１対１で対応しているので、（４）で同定したベーシックミッドアンブルコードから、自セルで使用されているスクランブリングコードを同定する。
（６）ＴＳ＃０にあるビーコンチャネルのミッドアンブル部分に、シフト２のミッドアンブルコードｍ(2)が含まれているか否かを判定し、無線通信基地局装置が送信ダイバーシチを行っているか否かを判定する。
【００１０】
＜ステップ３＞フレーム同期およびマルチフレーム制御の同期
（７）ＴＳ＃０にあるビーコンチャネル（またはＰ−ＣＣＰＣＨ）のミッドアンブル部分と、ＤｗＰＴＳとの位相差を算出する。
（８）２フレーム（４サブフレーム）周期の位相差パターンから、フレームの先頭位置、すなわちフレームタイミングを検出する。
（９）次の４サブフレームにＰ−ＣＣＰＣＨが存在するか否かを検出する。
【００１１】
＜ステップ４＞ＢＣＨ情報の取得
（１０）ＢＣＨ（Broadcast Channel）信号を復調して、ＢＣＨで通知される情報を取得する。
【００１２】
以上のようにして、無線通信端末装置において４ステップのセルサーチが行われる。
【００１３】
【発明が解決しようとする課題】
ここで、無線通信端末装置において、通信相手の無線通信基地局装置が送信ダイバーシチを行っているか否か、換言すれば、ＴＳ＃０にあるビーコンチャネルのミッドアンブル部分にシフト２のミッドアンブルコードｍ(2)が含まれているか否かを正確に判定することが重要となる。なぜなら、その判定結果が受信信号の復調時に使用されるからである。すなわち、送信ダイバーシチを行っている場合に送信ダイバーシチを行っていないと誤って判定した場合には、無線通信端末装置は、無線通信基地局装置の複数のアンテナから送信された信号を合成しないので、ダイバーシチゲインが得られず、受信性能が劣化する。逆に、送信ダイバーシチを行っていない場合に送信ダイバーシチを行っていると誤って判定した場合には、無線通信端末装置は、無線通信基地局装置の複数のアンテナから信号が送信されたものとして信号を合成してしまうため、本来合成対象でない誤った余計な信号を合成してしまうので、受信性能が劣化する。このように、送信ダイバーシチが行われるか否かを無線通信端末装置において正確に判定することは、受信性能を高める上で非常に重要である。
【００１４】
本発明はかかる点に鑑みてなされたものであり、無線通信基地局装置が送信ダイバーシチを行うか否かを精度良く判定することができるミッドアンブルコード判定方法および無線通信端末装置を提供することを目的とする。
【００１５】
【課題を解決するための手段】
本発明のミッドアンブルコード判定方法は、複数のアンテナを有する無線通信基地局装置が、送信ダイバーシチを行う場合に、自セル固有のベーシックミッドアンブルコードを単位シフト量ずつ巡回シフトさせて作成される複数のミッドアンブルコードのうち、シフト量０の第１ミッドアンブルコードと、送信ダイバーシチを行うことを示す特定シフト量の第２ミッドアンブルコードと、を前記複数のアンテナから並列送信するＣＤＭＡ無線通信システム、において使用されるミッドアンブルコード判定方法であって、受信信号と前記第１ミッドアンブルコードとの相関値と、受信信号と前記第２ミッドアンブルコードとの相関値と、の比に基づいて、前記第２ミッドアンブルコードが受信信号に含まれているか否かを判定するようにした。
【００１６】
また、本発明の別のミッドアンブルコード判定方法は、受信信号と前記第２ミッドアンブルコードとの相関値と、受信信号と前記自セル固有のベーシックミッドアンブルコードと同一のベーシックミッドアンブルコードグループに属する他のベーシックミッドアンブルコードを前記特定シフト量と同じ量だけシフトして作成されるミッドアンブルコードとの相関値と、の比に基づいて、前記第２ミッドアンブルコードが受信信号に含まれているか否かを判定するようにした。
【００１７】
また、本発明の別のミッドアンブルコード判定方法は、受信信号と前記第２ミッドアンブルコードとの相関値と、受信信号と前記自セル固有のベーシックミッドアンブルコードと同一のベーシックミッドアンブルコードグループに属する他のベーシックミッドアンブルコードから作成されるシフト量０のミッドアンブルコードとの相関値と、の比に基づいて、前記第２ミッドアンブルコードが受信信号に含まれているか否かを判定するようにした。
【００１８】
これらの方法によれば、無線通信端末装置において、無線通信基地局装置が送信ダイバーシチを行うか否かを精度良く判定することができるため、無線通信端末装置の受信性能を高めることができる。
【００１９】
【発明の実施の形態】
以下、本発明の実施の形態について図面を参照して詳細に説明する。
【００２０】
（実施の形態１）
図１は、本発明の実施の形態１に係る無線通信システムの構成を示すブロック図である。アンテナ１０１を有する無線通信端末装置１０は、アンテナ１およびアンテナ２の２本のアンテナを有する無線通信基地局装置２０と無線通信を行う。
【００２１】
今、例えば、無線通信基地局装置２０の自セルに固有のベーシックミッドアンブルコードが、１２８種類のうちのｎ番目の種類（コードＩＤ＝ｎ）のベーシックミッドアンブルコードであるとする。よって、無線通信基地局装置２０が送信ダイバーシチを行う場合は、アンテナ１からシフト１のミッドアンブルコードｍ(1)(n)、すなわちコードＩＤ＝ｎのベーシックミッドアンブルコードから作成されたシフト量０のミッドアンブルコードを送信し、アンテナ２からシフト２のミッドアンブルコードｍ(2)(n)、すなわちコードＩＤ＝ｎのベーシックミッドアンブルコードから作成されたシフト量１６チップのミッドアンブルコードを送信する。つまり、送信ダイバーシチを行う場合は、ミッドアンブルコードｍ(1)(n)とミッドアンブルコードｍ(2)(n)とが並列送信される。一方、無線通信基地局装置２０が送信ダイバーシチを行わない場合は、アンテナ１からミッドアンブルコードｍ(1)(n)を送信し、アンテナ２からは何も送信しない。
【００２２】
次に、本発明の実施の形態１に係る無線通信端末装置について説明する。図２は、本発明の実施の形態１に係る無線通信端末装置の構成を示すブロック図である。図２に示す無線通信端末装置１０において、ＲＦ部１０２は、アンテナ１０１を介して受信される信号に対して無線処理（増幅、ダウンコンバート、Ａ／Ｄ変換等）を施す。
【００２３】
グループ同定部１０３は、上記ステップ１〜４の処理のうち、ステップ１の（１）および（２）の処理を行う。つまり、１サブフレームの受信信号に対して３２種類のＳＹＮＣ−ＤＬを用いて相関演算を行い、３２種類のＳＹＮＣ−ＤＬ毎に遅延プロファイルを作成する。そして、作成した３２個の遅延プロファイルのうち相関電力値が最大となる遅延プロファイルに対応するＳＹＮＣ−ＤＬをそのセルで使用されているＳＹＮＣ−ＤＬと同定する。ＳＹＮＣ−ＤＬを同定することにより、自セルに固有のベーシックミッドアンブルコードが属するベーシックミッドアンブルコードグループを同定することができる。そして、同定したベーシックミッドアンブルコードグループを示すグループＩＤを、ベーシックミッドアンブル同定部１０４に入力する。なお、遅延プロファイルのピーク位置からＤｗＰＴＳのタイミングを検出する。
【００２４】
ベーシックミッドアンブル同定部１０４は、上記ステップ２の（３）〜（５）の処理を行う。つまり、受信信号のＴＳ＃０にあるビーコンチャネル（またはＰ−ＣＣＰＣＨ）のミッドアンブル部分に対して、グループＩＤが示すベーシックミッドアンブルコードグループに属する４種類のベーシックミッドアンブルコードを用いて相関演算を行い、相関電力値を求める。そして、求めた相関電力値のうち最大の相関電力値となるベーシックミッドアンブルコードを、自セルに固有のベーシックミッドアンブルコードと同定する。そして、同定したベーシックミッドアンブルコードを示すコードＩＤを、ミッドアンブルコード作成部１０５に入力する。ここでは、例えば、自セルに固有のベーシックミッドアンブルコードとして、コードＩＤ＝ｎのベーシックミッドアンブルコードｍ(n)が同定されたものとする。以下の実施の形態においても同様である。また、ベーシックミッドアンブルコードとデータを拡散しているスクランブリングコードとは１対１で対応しているので、同定したベーシックミッドアンブルコードから、自セルに固有のスクランブリングコードを同定する。
【００２５】
ミッドアンブルコード作成部１０５は、入力されたコードＩＤ＝ｎに従って、ベーシックミッドアンブルコードｍ(n)から、ミッドアンブルコードｍ(1)(n)とミッドアンブルコードｍ(2)(n)の２つのミッドアンブルコードを作成する。作成方法は上述したとおりである。そして、ミッドアンブルコードｍ(1)(n)を相関器１０６に入力し、ミッドアンブルコードｍ(2)(n)を相関器１０８に入力する。
【００２６】
相関器１０６は、受信信号のＴＳ＃０にあるビーコンチャネルのミッドアンブル部分に対してミッドアンブルコードｍ(1)(n)を用いて相関演算を行い、相関電力値を求める。求められた相関電力値は、フェージングの影響を取り除いて相関電力値の精度を高めるために、平均部１０７で複数タイムスロット分平均される。すなわち、時間平均される。平均後の相関電力値は判定部１１０に入力される。
【００２７】
相関器１０８は、受信信号のＴＳ＃０にあるビーコンチャネルのミッドアンブル部分に対してミッドアンブルコードｍ(2)(n)を用いて相関演算を行い、相関電力値を求める。求められた相関電力値は、フェージングの影響を取り除いて相関電力値の精度を高めるために、平均部１０９で複数タイムスロット分平均される。すなわち、時間平均される。平均後の相関電力値は判定部１１０に入力される。
【００２８】
判定部１１０は、平均部１０７から入力された相関電力値と平均部１０９から入力された相関電力値との比に基づいて、ミッドアンブルコードｍ(2)(n)が無線通信基地局装置２０から送信されているか否かを判定することにより、無線通信基地局装置２０が送信ダイバーシチを行うか否かを判定する。詳しい判定方法は後述する。そして、判定結果を示す信号が復調部１１１に入力される。
【００２９】
復調部１１１は、判定部１１０での判定結果に応じて、復調方法を変えながら受信信号を復調する。復調部１１１は、無線通信基地局装置２０が送信ダイバーシチを行うと判定部１１０によって判定された場合は、無線通信基地局装置２０の２本のアンテナから送信された信号を合成後、復調する。これにより、ダイバーシチゲインが得られる。また、無線通信基地局装置２０が送信ダイバーシチを行わないと判定部１１０によって判定された場合は、合成はせずに無線通信基地局装置２０のいずれか１本のアンテナから送信された信号のみを対象として復調する。
【００３０】
次いで、ミッドアンブルコードｍ(2)(n)が無線通信基地局装置２０から送信されているか否かの判定方法について説明する。
【００３１】
無線通信基地局装置２０が送信ダイバーシチを行っていない場合は、アンテナ１から送信される信号はｍ(1)(n)となり、アンテナ２から送信される信号は０となる。よって、無線通信端末装置１０が受信する信号は、式（１）のように表される。なお、αは、無線通信基地局装置２０のアンテナ１から無線通信端末装置１０のアンテナ１０１までの伝搬路状態を示す係数である。
αｍ(1)(n)  …（１）
【００３２】
よって、相関器１０６で求められるｍ(1)(n)との相関電力値ＰSCTD=off,1は、式（２）のように表される。なお、＊は複素共役である。
0003938885.tif 000002
【００３３】
また、相関器１０８で求められるｍ(2)(n)との相関電力値ＰSCTD=off,2は、式（３）のように表される。
0003938885.tif 000003
なお、式を簡単にするためにｍ(1)(n)とｍ(2)(n)の相関電力値をＸとする。また、Ｘは既知の値である。
【００３４】
一方、無線通信基地局装置２０が送信ダイバーシチを行っている場合は、アンテナ１から送信される信号はｍ(1)(n)となり、アンテナ２から送信される信号はｍ(2)(n)となる。よって、無線通信端末装置１０が受信する信号は、式（４）のように表される。なお、βは、無線通信基地局装置２０のアンテナ２から無線通信端末装置１０のアンテナ１０１までの伝搬路状態を示す係数である。
αｍ(1)(n)＋βｍ(2)(n)  …（４）
【００３５】
よって、相関器１０６で求められるｍ(1)(n)との相関電力値ＰSCTD=on,1は、式（５）のように表される。
0003938885.tif 000004
【００３６】
また、相関器１０８で求められるｍ(2)(n)との相関電力値ＰSCTD=on,2は、式（６）のように表される。
0003938885.tif 000005
【００３７】
ここで、無線通信端末装置１０は、無線通信基地局装置２０のアンテナ２からｍ(2)(n)が送信されているか否かの情報を無線通信基地局装置２０から通知されない。すなわち、アンテナ２からｍ(2)(n)が送信されているか否か分からない。このため、受信信号に対してｍ(1)(n)を用いて相関演算を行った結果が、式（２）になるのか式（５）になるのか分からない。同様に、受信信号に対してｍ(2)(n)を用いて相関演算を行った結果が、式（３）になるのか式（６）になるのか分からない。よって、ｍ(2)(n)が送信されている場合と、送信されていない場合の双方を一元的に取り扱うことができるような判定方法が必要となる。以下、判定部１１０が行う判定について具体的に説明する。
【００３８】
本実施の形態では、ｍ(2)(n)が送信されているか否かを判定するための評価値として、受信信号とｍ(1)(n)の相関電力値と、受信信号とｍ(2)(n)の相関電力値との比を用いる。
【００３９】
まず、ｍ(2)(n)が送信されていない場合の比の期待値ＱSCTD=offは、式（３）を式（２）で割った値である。よって、ＱSCTD=offは式（７）のようになる。但し、平均部１０７および平均部１０９での平均化により、フェージングの影響が十分に抑圧されているものとする。
ＱSCTD=off＝Ｘ  …（７）
【００４０】
一方、ｍ(2)(n)が送信されている場合の比の期待値ＱSCTD=onは、式（６）を式（５）で割った値である。よって、ＱSCTD=onは式（８）のようになる。但し、平均部１０７および平均部１０９での平均化により、フェージングの影響が十分に抑圧されているものとする。
ＱSCTD=on＝(α2＋β2Ｘ)/(α2Ｘ＋β2)  …（８）
【００４１】
ここで、無線通信基地局装置２０のアンテナ１から無線通信端末装置１０のアンテナ１０１までのフェージング環境、すなわちα2と、無線通信基地局装置２０のアンテナ２から無線通信端末装置１０のアンテナ１０１までのフェージング環境、すなわちβ2とがほぼ等しい場合は、式（８）において、ＱSCTD=onはほぼ１となる。また、ｍ(1)(n)とｍ(2)(n)の相互相関Ｘは非常に小さく、ほぼ０である。すなわち、式（７）において、ＱSCTD=offはほぼ０になる。よって、判定のしきい値として用いる値は、ＱSCTD=onとＱSCTD=offの中間の値、すなわちほぼ０.５が最適である。
【００４２】
よって、ここでは０.５を、判定部１１０にしきい値として設定する。判定部１１０は、平均部１０７から入力される受信信号とｍ(1)(n)の相関電力値の平均値と、平均部１０９から入力される受信信号とｍ(2)(n)の相関電力値の平均値との比を求め、求めた比の値をしきい値０.５と比較する。
【００４３】
そして、比の値が０.５以上であれば、ｍ(2)(n)が受信信号に含まれていると判定する。すなわち、ｍ(2)(n)が無線通信基地局装置２０から送信されており、よって、無線通信基地局装置２０が送信ダイバーシチを行うと判定する。
【００４４】
一方、比の値が０.５未満であれば、ｍ(2)(n)が受信信号に含まれていないと判定する。すなわち、ｍ(2)(n)が無線通信基地局装置２０から送信されておらず、よって、無線通信基地局装置２０が送信ダイバーシチを行わないと判定する。
【００４５】
このように、本実施の形態によれば、受信信号とｍ(1)(n)の相関電力値と、受信信号とｍ(2)(n)の相関電力値との比に基づいて、無線通信基地局装置が送信ダイバーシチを行うか否かを判定する。また、判定のしきい値として、送信ダイバーシチが行われる場合の比の値と、行われない場合の比の値との中間値を用いる。よって、無線通信基地局装置が送信ダイバーシチを行うか否かを精度良く判定することができる。
【００４６】
（実施の形態２）
実施の形態１では、無線通信基地局装置２０のアンテナ１から無線通信端末装置１０のアンテナ１０１までのフェージング、すなわちα2と、無線通信基地局装置２０のアンテナ２から無線通信端末装置１０のアンテナ１０１までのフェージング、すなわちβ2とがほぼ等しいものとした。しかし、実際の通信環境では、α2とβ2とは互いに独立であるため、α2とβ2の比が３０dB（１０００倍）程度になることがよくある。α2/β2＝１０００の場合は、式（８）においてＱSCTD=on＝９０.９１となり、α2/β2＝０.００１の場合は、式（８）においてＱSCTD=on＝０.０１となる。
【００４７】
ここで、α2/β2＝０.００１の場合に着目すると、ＱSCTD=on＝０.０１の値が、式（７）におけるＱSCTD=offの値（ほぼ０）に非常に近い値となってしまう。このため、実際の通信環境においてα2/β2＝０.００１の場合が生じると、実施の形態１の判定方法では、精度が著しく低下してしまうおそれがある。
【００４８】
このような精度の低下を防止するために、実施の形態１では、相関電力値の時間平均を求めることにより、α2とβ2とがほぼ等しくなるようにした。すなわち、式（８）においてＱSCTD=onの値がほぼ１になるようにした。しかしながら、α2とβ2とがほぼ等しくなるためには、受信信号をドップラ周波数の逆数の時間観測することが必要であり、無線通信端末装置１０が歩行程度の速度で移動する場合は、数百ミリ秒〜数秒必要となる。これでは、送信ダイバーシチが行われるか否かの判定に要する時間が非常に長くなり、その結果、同期確立までに非常に時間を要することになってしまう。
【００４９】
そこで、本実施の形態では、以下のようにして、送信ダイバーシチが行われるか否かの判定に要する時間を短くするようにした。
【００５０】
図３は、本発明の実施の形態２に係る無線通信端末装置の構成を示すブロック図である。なお、図３において、実施の形態１（図２）と同一の部分には同一の符号を付し、その説明を省略する。
【００５１】
図３において、グループ同定部１０３は、実施の形態１のようにして同定したベーシックミッドアンブルコードグループを示すグループＩＤを、ベーシックミッドアンブル同定部１０４に入力とともに、ミッドアンブルコード作成部１２１に入力する。
【００５２】
ミッドアンブルコード作成部１２１は、グループ同定部１０３で同定されたグループＩＤと、ベーシックミッドアンブル同定部１０４で同定されたコードＩＤとに従って、ミッドアンブルコードｍ(2)(n)とミッドアンブルコードｍ(2)(m)の２つのミッドアンブルコードを作成する。ミッドアンブルコードｍ(2)(n)は、実施の形態１同様、入力されたコードＩＤ＝ｎに従って自セルに固有のベーシックミッドアンブルコードｍ(n)を１６チップシフトさせて作成される。
【００５３】
また、ｍ(m)は、グループ同定部１０３で同定されたベーシックミッドアンブルコードグループに属する４つのベーシックミッドアンブルコードのうち、自セルに固有のベーシックミッドアンブルコードｍ(n)以外のいずれか１つを示す。すなわち、ｍ(m)は、ベーシックミッドアンブルコードグループに属する４つのベーシックミッドアンブルコードのうち他セルで使用されている可能性のある３つのベーシックミッドアンブルコードのうちのいずれか１つを示す。例えば、グループ同定部１０３で同定されたベーシックミッドアンブルコードグループに属するベーシックミッドアンブルコードがｍ(1)〜ｍ(4)であり、ベーシックミッドアンブル同定部１０４で同定された自セルに固有のベーシックミッドアンブルコードがｍ(1)であった場合、ｍ(m)は、ｍ(2)〜ｍ(4)のうちのいずれか１つである。そして、そのｍ(m)を、ｍ(2)(n)と同じシフト量１６チップだけシフトさせてシフト２のミッドアンブルコードｍ(2)(m)を作成する。
【００５４】
ミッドアンブルコードｍ(2)(n)は相関器１２２に入力され、ミッドアンブルコードｍ(2)(m)は相関器１２４に入力される。
【００５５】
相関器１２２は、受信信号のＴＳ＃０にあるビーコンチャネルのミッドアンブル部分に対してミッドアンブルコードｍ(2)(n)を用いて相関演算を行い、相関電力値を求める。求められた相関電力値は、フェージングの影響を取り除いて相関電力値の精度を高めるために、平均部１２３で複数タイムスロット分平均される。すなわち、時間平均される。平均後の相関電力値は判定部１２６に入力される。
【００５６】
相関器１２４は、受信信号のＴＳ＃０にあるビーコンチャネルのミッドアンブル部分に対してミッドアンブルコードｍ(2)(m)を用いて相関演算を行い、相関電力値を求める。求められた相関電力値は、フェージングの影響を取り除いて相関電力値の精度を高めるために、平均部１２５で複数タイムスロット分平均される。すなわち、時間平均される。平均後の相関電力値は判定部１２６に入力される。
【００５７】
判定部１２６は、平均部１２３から入力された相関電力値と平均部１２５から入力された相関電力値との比に基づいて、ミッドアンブルコードｍ(2)(n)が無線通信基地局装置２０から送信されているか否かを判定することにより、無線通信基地局装置２０が送信ダイバーシチを行うか否かを判定する。詳しい判定方法は後述する。そして、判定結果を示す信号が復調部１１１に入力される。
【００５８】
次いで、ミッドアンブルコードｍ(2)(n)が無線通信基地局装置２０から送信されているか否かの判定方法について説明する。
【００５９】
無線通信基地局装置２０が送信ダイバーシチを行っていない場合は、実施の形態１同様、アンテナ１から送信される信号はｍ(1)(n)となり、アンテナ２から送信される信号は０となる。よって、相関器１２２で求められるｍ(2)(n)との相関電力値ＰSCTD=off,nは、式（９）のように表される。
0003938885.tif 000006
【００６０】
また、相関器１２４で求められるｍ(2)(m)との相関電力値ＰSCTD=off,mは、式（１０）のように表される。
0003938885.tif 000007
なお、式を簡単にするためにｍ(1)(n)とｍ(2)(m)の相関電力値をＹとする。また、Ｙは既知の値である。
【００６１】
一方、無線通信基地局装置２０が送信ダイバーシチを行っている場合は、実施の形態１同様、アンテナ１から送信される信号はｍ(1)(n)となり、アンテナ２から送信される信号はｍ(2)(n)となる。よって、相関器１２２で求められるｍ(2)(n)との相関電力値ＰSCTD=on,nは、式（１１）のように表される。
0003938885.tif 000008
【００６２】
また、相関器１２４で求められるｍ(2)(m)との相関電力値ＰSCTD=on,mは、式（１２）のように表される。
0003938885.tif 000009
なお、式を簡単にするためにｍ(2)(n)とｍ(2)(m)の相関電力値をＺとする。また、Ｚは既知の値である。
【００６３】
ここで、本実施の形態では、ｍ(2)(n)が送信されているか否かを判定するための評価値として、受信信号とｍ(2)(n)の相関電力値と、受信信号とｍ(2)(m)の相関電力値との比を用いる。
【００６４】
まず、ｍ(2)(n)が送信されていない場合の比の期待値ＱSCTD=offは、式（１０）を式（９）で割った値である。よって、ＱSCTD=offは式（１３）のようになる。但し、平均部１２３および平均部１２５での平均化により、フェージングの影響が十分に抑圧されているものとする。
ＱSCTD=off＝Ｙ/Ｘ  …（１３）
【００６５】
一方、ｍ(2)(n)が送信されている場合の比の期待値ＱSCTD=onは、式（１２）を式（１１）で割った値である。よって、ＱSCTD=onは式（１４）のようになる。但し、平均部１２３および平均部１２５での平均化により、フェージングの影響が十分に抑圧されているものとする。
ＱSCTD=on＝((α2/β2)Ｙ＋Ｚ)/((α2/β2)Ｘ＋１)  …（１４）
【００６６】
ここで、Ｘ、Ｙ、Ｚはほぼ等しい値であり、また非常に小さい値（ほぼ０）である。よって、α2とβ2とがほぼ等しい場合は、式（１４）において、ＱSCTD=onはほぼ０となる。また、式（１３）においてＱSCTD=offはほぼ１となる。よって、判定のしきい値として用いる値は、ＱSCTD=onとＱSCTD=offの中間の値、すなわちほぼ０.５が最適である。
【００６７】
よって、ここでは０.５を、判定部１２６にしきい値として設定する。判定部１２６は、平均部１２３から入力される受信信号とｍ(2)(n)の相関電力値の平均値と、平均部１２５から入力される受信信号とｍ(2)(m)の相関電力値の平均値との比を求め、求めた比の値をしきい値０.５と比較する。
【００６８】
そして、比の値が０.５以上であれば、ｍ(2)(n)が受信信号に含まれていないと判定する。すなわち、ｍ(2)(n)が無線通信基地局装置２０から送信されておらず、よって、無線通信基地局装置２０が送信ダイバーシチを行わないと判定する。
【００６９】
一方、比の値が０.５未満であれば、ｍ(2)(n)が受信信号に含まれていると判定する。すなわち、ｍ(2)(n)が無線通信基地局装置２０から送信されており、よって、無線通信基地局装置２０が送信ダイバーシチを行うと判定する。
【００７０】
ここで、実際の通信環境においてα2とβ2の比が３０dB（１０００倍）程度になる場合を考える。α2/β2＝１０００の場合は、式（１４）においてＱSCTD=on＝０.９１となり、α2/β2＝１の場合は、式（１４）においてＱSCTD=on＝０.０２となり、α2/β2＝０.００１の場合は、式（１４）においてＱSCTD=on＝０.０１となる。また、式（１３）においてＱSCTD=offはほぼ１となる。α2/β2＝１０００の場合に着目すると、ＱSCTD=onとＱSCTD=offの差は０.０９となり、実施の形態１におけるα2/β2＝０.００１の場合のＱSCTD=onとＱSCTD=offの差０.０１の９倍となる。よって、本実施の形態の判定方法を用いることで、実施の形態１よりさらに判定精度を高めることができる。
【００７１】
また、式（１４）に着目すると、フェージングによって変動する(α2/β2)には、相関電力値Ｘ、Ｙが乗算されている。これは、フェージングの変動がＸまたはＹによって抑圧されていることを意味する。よって、Ｘ、Ｙが０.０１程度の場合は、フェージング変動を抑圧するために必要となる受信信号の観測時間は実施の形態１に比べて１/１００程度でよくなる。すなわち、無線通信端末装置１０が歩行程度の速度で移動する場合でも、数ミリ秒〜数十ミリ秒で十分となる。
【００７２】
このように、本実施の形態によれば、実施の形態１よりさらに判定精度を高めることができるとともに、判定に要する時間を大きく短縮することができ、その結果、同期確立までに要する時間を大きく短縮することができる。
【００７３】
（実施の形態３）
実施の形態２では、グループ同定部１０３で同定されたベーシックミッドアンブルコードグループに属する４つのベーシックミッドアンブルコードのうち、自セルに固有のベーシックミッドアンブルコードｍ(n)から作成されたミッドアンブルコードｍ(2)(n)と、ｍ(n)以外のいずれか１つのベーシックミッドアンブルコードｍ(m)から作成されたミッドアンブルコードｍ(2)(m)とを使用して、送信ダイバーシチが行われるか否かを判定した。例えば、グループ同定部１０３で同定されたベーシックミッドアンブルコードグループに属するベーシックミッドアンブルコードがｍ(1)〜ｍ(4)であり、ベーシックミッドアンブル同定部１０４で同定された自セルに固有のベーシックミッドアンブルコードがｍ(1)であった場合、ｍ(1)と、ｍ(2)〜ｍ(4)のうちのいずれか１つを使用した。
【００７４】
ここで、ミッドアンブルコード間の相互相関はコード毎に異なるために、ばらつきが大きい。そこで、本実施の形態では、そのばらつきを小さくするために、グループ同定部１０３で同定されたベーシックミッドアンブルコードグループに属するベーシックミッドアンブルコードのすべてを使用する。例えば、グループ同定部１０３で同定されたベーシックミッドアンブルコードグループに属するベーシックミッドアンブルコードがｍ(1)〜ｍ(4)であり、ベーシックミッドアンブル同定部１０４で同定された自セルに固有のベーシックミッドアンブルコードがｍ(1)であった場合、ｍ(1)の他にｍ(2)〜ｍ(4)のすべてを使用する。
【００７５】
図４は、本発明の実施の形態３に係る無線通信端末装置の構成を示すブロック図である。なお、図４において、実施の形態１（図２）と同一の部分には同一の符号を付し、その説明を省略する。
【００７６】
ミッドアンブルコード作成部１３１は、グループ同定部１０３で同定されたグループＩＤと、ベーシックミッドアンブル同定部１０４で同定されたコードＩＤとに従って、ミッドアンブルコードｍ(2)(1)〜ｍ(2)(4)の４つのミッドアンブルコードを作成する。ミッドアンブルコードｍ(2)(1)は、入力されたコードＩＤ＝ｎに従って自セルに固有のベーシックミッドアンブルコードｍ(1)を１６チップシフトさせて作成される。また、ｍ(2)(2)〜ｍ(2)(4)は、ｍ(1)と同一のベーシックミッドアンブルコードグループに属する他のベーシックミッドアンブルコード、すなわち、ｍ(2)〜ｍ(4)を、それぞれｍ(2)(1)と同じシフト量１６チップだけシフトさせて作成される。ｍ(2)(1)は相関器１３２に、ｍ(2)(2)は相関器１３４に、ｍ(2)(3)は相関器１３５に、ｍ(2)(4)は相関器１３６に、それぞれ入力される。
【００７７】
相関器１３２は、受信信号のＴＳ＃０にあるビーコンチャネルのミッドアンブル部分に対してミッドアンブルコードｍ(2)(1)を用いて相関演算を行い、相関電力値を求める。無線通信基地局装置２０が送信ダイバーシチを行わない場合は、相関器１３２で求められる相関電力値は式（９）となり、無線通信基地局装置２０が送信ダイバーシチを行う場合は、相関器１３２で求められる相関電力値は式（１１）となる。求められた相関電力値は、フェージングの影響を取り除いて相関電力値の精度を高めるために、平均部１３３で複数タイムスロット分平均される。すなわち、時間平均される。平均後の相関電力値は判定部１３９に入力される。
【００７８】
相関器１３４は、受信信号のＴＳ＃０にあるビーコンチャネルのミッドアンブル部分に対してミッドアンブルコードｍ(2)(2)を用いて相関演算を行い、相関電力値を求める。相関器１３５は、受信信号のＴＳ＃０にあるビーコンチャネルのミッドアンブル部分に対してミッドアンブルコードｍ(2)(3)を用いて相関演算を行い、相関電力値を求める。相関器１３６は、受信信号のＴＳ＃０にあるビーコンチャネルのミッドアンブル部分に対してミッドアンブルコードｍ(2)(4)を用いて相関演算を行い、相関電力値を求める。無線通信基地局装置２０が送信ダイバーシチを行わない場合は、相関器１３４〜１３６で求められる相関電力値は式（１０）となり、無線通信基地局装置２０が送信ダイバーシチを行う場合は、相関器１３４〜１３６で求められる相関電力値は式（１２）となる。相関器１３４、相関器１３５および相関器１３６で求められた相関電力値はそれぞれ、平均部１３７に入力される。平均部１３７は、相関器１３４、相関器１３５、相関器１３６からそれぞれ入力される３つの相関電力値を平均する。平均された相関電力値は、フェージングの影響を取り除いて相関電力値の精度を高めるために、平均部１３８で、さらに複数タイムスロット分平均される。すなわち、時間平均される。平均後の相関電力値は判定部１３９に入力される。
【００７９】
判定部１３９は、実施の形態２と同様にして、平均部１３３から入力された相関電力値の平均値と平均部１３８から入力された相関電力値の平均値との比を求め、求めた比の値をしきい値０.５と比較する。そして、比の値が０.５以上であれば、無線通信基地局装置２０が送信ダイバーシチを行わないと判定し、逆に、比の値が０.５未満であれば、無線通信基地局装置２０が送信ダイバーシチを行うと判定する。
【００８０】
このように、本実施の形態によれば、自セルに固有のベーシックミッドアンブルコードと同一のベーシックミッドアンブルコードグループに属する他の複数のベーシックミッドアンブルコードから作成されるミッドアンブルコードを用いて相関電力値を求め、それら複数の相関電力値の平均値を用いて送信ダイバーシチが行われるか否か判定するため、判定に使用される相互相関値がさらに正確になるので、さらに判定精度を高めることができる。
【００８１】
（実施の形態４）
本実施の形態が実施の形態１および実施の形態２と異なる点は、自セルに固有のベーシックミッドアンブルコードｍ(n)と同一のベーシックミッドアンブルコードグループに属する他のベーシックミッドアンブルコードｍ(m)から作成されるシフト１（シフト量０）のミッドアンブルコードｍ(1)(m)を用いて送信ダイバーシチが行われるか否かを判定する点である。
【００８２】
図５は、本発明の実施の形態４に係る無線通信端末装置の構成を示すブロック図である。なお、図５において、実施の形態１（図２）または実施の形態２（図３）と同一の部分には同一の符号を付し、その説明を省略する。
【００８３】
図５において、グループ同定部１０３は、実施の形態１のようにして同定したベーシックミッドアンブルコードグループを示すグループＩＤを、ベーシックミッドアンブル同定部１０４に入力とともに、ミッドアンブルコード作成部１２１に入力する。
【００８４】
ミッドアンブルコード作成部１４１は、グループ同定部１０３で同定されたグループＩＤと、ベーシックミッドアンブル同定部１０４で同定されたコードＩＤとに従って、ミッドアンブルコードｍ(2)(n)とミッドアンブルコードｍ(1)(m)の２つのミッドアンブルコードを作成する。ミッドアンブルコードｍ(2)(n)は、実施の形態１同様、入力されたコードＩＤ＝ｎに従って自セルに固有のベーシックミッドアンブルコードｍ(n)を１６チップシフトさせて作成される。
【００８５】
また、ｍ(m)は、上記同様、グループ同定部１０３で同定されたベーシックミッドアンブルコードグループに属する４つのベーシックミッドアンブルコードのうち、自セルに固有のベーシックミッドアンブルコードｍ(n)以外のいずれか１つを示す。ミッドアンブルコードｍ(1)(m)は、ｍ(m)からシフト１（シフト量０）のミッドアンブルコードとして作成される。
【００８６】
ミッドアンブルコードｍ(2)(n)は相関器１２２に入力され、ミッドアンブルコードｍ(1)(m)は相関器１４４に入力される。
【００８７】
相関器１２２および平均部１２３の動作は実施の形態２と同一なので、説明を省略する。
【００８８】
相関器１４４は、受信信号のＴＳ＃０にあるビーコンチャネルのミッドアンブル部分に対してミッドアンブルコードｍ(1)(m)を用いて相関演算を行い、相関電力値を求める。求められた相関電力値は、フェージングの影響を取り除いて相関電力値の精度を高めるために、平均部１４５で複数タイムスロット分平均される。すなわち、時間平均される。平均後の相関電力値は判定部１４６に入力される。
【００８９】
判定部１４６は、平均部１２３から入力された相関電力値と平均部１４５から入力された相関電力値との比に基づいて、ミッドアンブルコードｍ(2)(n)が無線通信基地局装置２０から送信されているか否かを判定することにより、無線通信基地局装置２０が送信ダイバーシチを行うか否かを判定する。判定方法は以下のようになる。
【００９０】
無線通信基地局装置２０が送信ダイバーシチを行っていない場合は、実施の形態１同様、アンテナ１から送信される信号はｍ(1)(n)となり、アンテナ２から送信される信号は０となる。よって、相関器１２２で求められるｍ(2)(n)との相関電力値ＰSCTD=off,nは、式（９）のように表される。また、相関器１４４で求められるｍ(1)(m)との相関電力値ＰSCTD=off,mは、式（１５）のように表される。
0003938885.tif 000010
なお、式を簡単にするためにｍ(1)(n)とｍ(1)(m)の相関電力値をＡとする。また、Ａは既知の値である。
【００９１】
一方、無線通信基地局装置２０が送信ダイバーシチを行っている場合は、実施の形態１同様、アンテナ１から送信される信号はｍ(1)(n)となり、アンテナ２から送信される信号はｍ(2)(n)となる。よって、相関器１２２で求められるｍ(2)(n)との相関電力値ＰSCTD=on,nは、式（１１）のように表される。また、相関器１４４で求められるｍ(1)(m)との相関電力値ＰSCTD=on,mは、式（１６）のように表される。
0003938885.tif 000011
なお、式を簡単にするためにｍ(1)(n)とｍ(1)(m)の相関電力値をＢとし、ｍ(2)(n)とｍ(1)(m)の相関電力値をＣとする。また、ＢおよびＣは既知の値である。
【００９２】
ここで、本実施の形態では、ｍ(2)(n)が送信されているか否かを判定するための評価値として、受信信号とｍ(2)(n)の相関電力値と、受信信号とｍ(1)(m)の相関電力値との比を用いる。
【００９３】
まず、ｍ(2)(n)が送信されていない場合の比の期待値ＱSCTD=offは、式（１５）を式（９）で割った値である。よって、ＱSCTD=offは式（１７）のようになる。但し、平均部１２３および平均部１４５での平均化により、フェージングの影響が十分に抑圧されているものとする。
ＱSCTD=off＝Ａ/Ｘ  …（１７）
【００９４】
一方、ｍ(2)(n)が送信されている場合の比の期待値ＱSCTD=onは、式（１６）を式（１１）で割った値である。よって、ＱSCTD=onは式（１８）のようになる。但し、平均部１２３および平均部１４５での平均化により、フェージングの影響が十分に抑圧されているものとする。
ＱSCTD=on＝((α2/β2)Ｂ＋Ｃ)/((α2/β2)Ｘ＋１)  …（１８）
【００９５】
ここで、Ｘ、Ｂ、Ｃはほぼ等しい値であり、また非常に小さい値（ほぼ０）である。よって、α2とβ2とがほぼ等しい場合は、式（１８）において、ＱSCTD=onはほぼ０となる。また、式（１７）においてＱSCTD=offはほぼ１となる。よって、判定のしきい値として用いる値は、ＱSCTD=onとＱSCTD=offの中間の値、すなわちほぼ０.５が最適である。
【００９６】
よって、ここでは０.５を、判定部１４６にしきい値として設定する。判定部１４６は、平均部１２３から入力される受信信号とｍ(2)(n)の相関電力値の平均値と、平均部１４５から入力される受信信号とｍ(1)(m)の相関電力値の平均値との比を求め、求めた比の値をしきい値０.５と比較する。
【００９７】
そして、比の値が０.５以上であれば、ｍ(2)(n)が受信信号に含まれていないと判定する。すなわち、ｍ(2)(n)が無線通信基地局装置２０から送信されておらず、よって、無線通信基地局装置２０が送信ダイバーシチを行わないと判定する。
【００９８】
一方、比の値が０.５未満であれば、ｍ(2)(n)が受信信号に含まれていると判定する。すなわち、ｍ(2)(n)が無線通信基地局装置２０から送信されており、よって、無線通信基地局装置２０が送信ダイバーシチを行うと判定する。
【００９９】
このように、本実施の形態によれば、実施の形態２で使用したミッドアンブルコードｍ(2)(m)に代えてミッドアンブルコードｍ(1)(m)を用いることにより、実施の形態２と同様の作用、効果を呈することができる。
【０１００】
（実施の形態５）
実施の形態４では、グループ同定部１０３で同定されたベーシックミッドアンブルコードグループに属する４つのベーシックミッドアンブルコードのうち、自セルに固有のベーシックミッドアンブルコードｍ(n)から作成されたミッドアンブルコードｍ(2)(n)と、ｍ(n)以外のいずれか１つのベーシックミッドアンブルコードｍ(m)から作成されたミッドアンブルコードｍ(1)(m)とを使用して、送信ダイバーシチが行われるか否かを判定した。
【０１０１】
これに対し、本実施の形態では、ミッドアンブルコード間の相互相関のばらつきを小さくするために、グループ同定部１０３で同定されたベーシックミッドアンブルコードグループに属するベーシックミッドアンブルコードのすべてを使用する。例えば、グループ同定部１０３で同定されたベーシックミッドアンブルコードグループに属するベーシックミッドアンブルコードがｍ(1)〜ｍ(4)であり、ベーシックミッドアンブル同定部１０４で同定された自セルに固有のベーシックミッドアンブルコードがｍ(1)であった場合、ｍ(1)の他にｍ(2)〜ｍ(4)のすべてを使用する。
【０１０２】
図６は、本発明の実施の形態５に係る無線通信端末装置の構成を示すブロック図である。なお、図６において、実施の形態１（図２）または実施の形態２（図３）と同一の部分には同一の符号を付し、その説明を省略する。
【０１０３】
ミッドアンブルコード作成部１５１は、グループ同定部１０３で同定されたグループＩＤと、ベーシックミッドアンブル同定部１０４で同定されたコードＩＤとに従って、ミッドアンブルコードｍ(2)(1)、ｍ(1)(2)、ｍ(1)(3)、ｍ(1)(4)の４つのミッドアンブルコードを作成する。ミッドアンブルコードｍ(2)(1)は、入力されたコードＩＤ＝ｎに従って自セルに固有のベーシックミッドアンブルコードｍ(1)を１６チップシフトさせて作成される。また、ｍ(1)(2)、ｍ(1)(3)、ｍ(1)(4)は、ｍ(1)と同一のベーシックミッドアンブルコードグループに属する他のベーシックミッドアンブルコード、すなわち、ｍ(2)〜ｍ(4)からシフト１（シフト量０）のミッドアンブルコードとしてそれぞれ作成される。ｍ(2)(1)は相関器１２２に、ｍ(1)(2)は相関器１５２に、ｍ(1)(3)は相関器１５３に、ｍ(1)(4)は相関器１５４に、それぞれ入力される。
【０１０４】
無線通信基地局装置２０が送信ダイバーシチを行わない場合は、相関器１２２で求められる相関電力値は式（９）となり、無線通信基地局装置２０が送信ダイバーシチを行う場合は、相関器１２２で求められる相関電力値は式（１１）となる。求められた相関電力値は、フェージングの影響を取り除いて相関電力値の精度を高めるために、平均部１２３で複数タイムスロット分平均される。すなわち、時間平均される。平均後の相関電力値は判定部１５７に入力される。
【０１０５】
相関器１５２は、受信信号のＴＳ＃０にあるビーコンチャネルのミッドアンブル部分に対してミッドアンブルコードｍ(1)(2)を用いて相関演算を行い、相関電力値を求める。相関器１５３は、受信信号のＴＳ＃０にあるビーコンチャネルのミッドアンブル部分に対してミッドアンブルコードｍ(1)(3)を用いて相関演算を行い、相関電力値を求める。相関器１５４は、受信信号のＴＳ＃０にあるビーコンチャネルのミッドアンブル部分に対してミッドアンブルコードｍ(1)(4)を用いて相関演算を行い、相関電力値を求める。無線通信基地局装置２０が送信ダイバーシチを行わない場合は、相関器１５２〜１５４で求められる相関電力値は式（１５）となり、無線通信基地局装置２０が送信ダイバーシチを行う場合は、相関器１５２〜１５４で求められる相関電力値は式（１６）となる。相関器１５２、相関器１５３および相関器１５４で求められた相関電力値はそれぞれ、平均部１５５に入力される。平均部１５５は、相関器１５２、相関器１５３、相関器１５４からそれぞれ入力される３つの相関電力値を平均する。平均された相関電力値は、フェージングの影響を取り除いて相関電力値の精度を高めるために、平均部１５６で、さらに複数タイムスロット分平均される。すなわち、時間平均される。平均後の相関電力値は判定部１５７に入力される。
【０１０６】
判定部１５７は、実施の形態４と同様にして、平均部１２３から入力された相関電力値の平均値と平均部１５６から入力された相関電力値の平均値との比を求め、求めた比の値をしきい値０.５と比較する。そして、比の値が０.５以上であれば、無線通信基地局装置２０が送信ダイバーシチを行わないと判定し、逆に、比の値が０.５未満であれば、無線通信基地局装置２０が送信ダイバーシチを行うと判定する。
【０１０７】
このように、本実施の形態によれば、実施の形態３と同様に、自セルに固有のベーシックミッドアンブルコードと同一のベーシックミッドアンブルコードグループに属する他の複数のベーシックミッドアンブルコードから作成されるミッドアンブルコードを用いて相関電力値を求め、それら複数の相関電力値の平均値を用いて送信ダイバーシチが行われるか否か判定するため、実施の形態３と同様の作用、効果を呈する。
【０１０８】
【発明の効果】
以上説明したように、本発明によれば、無線通信基地局装置が送信ダイバーシチを行うか否かを精度良く判定することができる。
【図面の簡単な説明】
【図１】本発明の実施の形態１に係る無線通信システムの構成を示すブロック図
【図２】本発明の実施の形態１に係る無線通信端末装置の構成を示すブロック図
【図３】本発明の実施の形態２に係る無線通信端末装置の構成を示すブロック図
【図４】本発明の実施の形態３に係る無線通信端末装置の構成を示すブロック図
【図５】本発明の実施の形態４に係る無線通信端末装置の構成を示すブロック図
【図６】本発明の実施の形態５に係る無線通信端末装置の構成を示すブロック図
【図７】ＣＤＭＡ／ＴＤＤ方式で使用される、フレーム構成およびスロット構成の一例を示す図
【図８】ミッドアンブルコードの作成方法を説明するための図
【符号の説明】
１０１  アンテナ
１０２  ＲＦ部
１０３  グループ同定部
１０４  ベーシックミッドアンブル同定部
１０５、１２１、１３１、１４１、１５１  ミッドアンブルコード作成部
１０６、１０８、１２２、１２４、１３２、１３４、１３５、１３６、１４４、１５２、１５３、１５４  相関器
１０７、１０９、１２３、１２５、１３３、１３７、１３８、１４５、１５５、１５６  平均部
１１０、１２６、１３９、１４６、１５７  判定部
１１１  復調部
【図１】
0003938885.tif 000012
【図２】
0003938885.tif 000013
【図３】
0003938885.tif 000014
【図４】
0003938885.tif 000015
【図５】
0003938885.tif 000016
【図６】
0003938885.tif 000017
【図７】
0003938885.tif 000018
【図８】
0003938885.tif 000019